(57)【要約】  【課題】白色光の彩度の低下を抑制しながら、光の取出し効率向上を図る。  【解決手段】  発光モジュール１は、ＬＥＤ１３と、波長変換部材２５と、波長変換部材３５とを備える。波長変換部材２５は、ＬＥＤ１３から出射される青色光の一部を第１可視光波長帯域の光に変換する。波長変換部材３５は、ＬＥＤ１３から出射される光のうち未変換の光を第２可視光波長帯域の光に変換する。ＬＥＤ１３と波長変換部材３５との間には、５７０ｎｍ乃至５９０ｎｍの波長帯域の光を吸収する酸化ネオジムが存在し、波長変換部材３５内には、酸化ネオジムが存在しない。【選択図】図１
2014140015.tif 000002
【特許請求の範囲】
【請求項１】
光を出射する発光素子と、
前記発光素子から出射される光が通過する光路上に配置され、前記発光素子から出射される光の一部を第１可視波長帯域の光に変換する第１波長変換部材と、
前記光路上における前記第１波長変換部材を挟んで前記発光素子の反対側に配置され、前記発光素子から出射される光のうちの前記第１波長変換部材により変換されていない未変換の光の少なくとも一部を、前記第１可視波長帯域とは異なる第２可視波長帯域の光に変換する第２波長変換部材とを備え、
前記光路上における前記発光素子と前記第２波長変換部材との間には、少なくとも５７０ｎｍ乃至５９０ｎｍの波長帯域の光を吸収する光吸収物質が存在し、前記第２波長変換部材内には、前記光吸収物質が存在しない
ことを特徴とする発光モジュール。
【請求項２】
前記第１波長変換部材は、第１透光性基材と、前記第１透光性基材中に分散され、前記発光素子から出射される光の一部を前記第１可視波長帯域の光に変換する第１蛍光体とを含み、
前記第２波長変換部材は、第２透光性基材と、前記第２透光性基材中に分散され、前記発光素子から出射される光のうちの前記未変換の光の少なくとも一部を前記第２可視波長帯域の光に変換する第２蛍光体とを含む
ことを特徴とする請求項１記載の発光モジュール。
【請求項３】
前記光吸収物質は、前記第１透光性基材中に混在されている
ことを特徴とする請求項２記載の発光モジュール。
【請求項４】
前記光吸収物質は、前記第１波長変換部材と前記第２波長変換部材との間に介在する光吸収部材に含有されている
ことを特徴とする請求項１乃至３のいずれか１項に記載の発光モジュール。
【請求項５】
前記光吸収物質は、ネオジム化合物である
ことを特徴とする請求項１乃至４のいずれか１項に記載の発光モジュール。
【請求項６】
前記光吸収物質の含有量は、前記発光素子が出射する光、前記第１可視波長帯域の光および前記第２可視波長帯域の光を混合してなる白色光の目標の彩度に基づいて設定されている
ことを特徴とする請求項１乃至５のいずれか１項に記載の発光モジュール。
【請求項７】
前記発光素子が出射する光の波長帯域は、４１０ｎｍ乃至５００ｎｍであり、
前記第１可視波長帯域は、４８０ｎｍ乃至６３０ｎｍであり、
前記第２可視波長帯域は、５４０ｎｍ乃至７８０ｎｍである
ことを特徴とする請求項１乃至６のいずれか１項に記載の発光モジュール。
【請求項８】
前記発光素子が出射する光の波長帯域は、４１０ｎｍ乃至５００ｎｍであり、
前記第１可視波長帯域は、５４０ｎｍ乃至７８０ｎｍであり
前記第２可視波長帯域は、４８０ｎｍ乃至６３０ｎｍである
ことを特徴とする請求項１乃至６のいずれか１項に記載の発光モジュール。
【請求項９】
光を出射する発光素子と、
前記発光素子から出射される光の一部が通過する第１光路上に配置され、前記発光素子から出射される前記光の一部のうちの少なくとも一部を第１可視波長帯域の光に変換する第１波長変換部材と、
前記発光素子から出射される光の残りの一部が通過する第２光路上に配置され、前記発光素子から出射される前記光の残りの一部うちの少なくとも一部を、前記第１可視波長帯域とは異なる第２可視波長帯域の光に変換する第２波長変換部材とを備え、
前記第１および第２光路は、前記第１光路における前記第１波長変換部材を挟んで前記発光素子とは反対側で且つ前記第２光路における前記第２波長変換部材の前記発光素子とは反対側の結合位置で結合しており、
前記第１光路における前記発光素子と前記結合位置との間には、少なくとも５７０ｎｍ乃至５９０ｎｍの波長帯域の光を吸収する光吸収物質が存在し、前記第２光路における前記発光素子と前記結合位置との間には、前記光吸収物質が存在しない
ことを特徴とする発光モジュール。
【請求項１０】
前記第１波長変換部材は、前記発光素子を囲む領域の一部を覆うように配置され、
前記第２波長変換部材は、前記発光素子を囲む領域のうち前記第１波長変換部材で覆われない領域を覆うように配置され、
前記光吸収物質は、前記第１波長変換部材内に存在し、前記第２波長変換部材内に存在しない
ことを特徴とする請求項９に記載の発光モジュール。
【請求項１１】
さらに、光反射性基板を備え、
前記第１波長変換部材は、前記光反射性基板を覆うように配置され、
前記第２波長変換部材は、前記第１波長変換部材を挟んで前記光反射性基板の反対側に配置され、
前記発光素子は、前記第１波長変換部材および前記第２波長変換部材との間に配置され、
前記光吸収物質は、前記第１波長変換部材内に存在し、前記第２波長変換部材内に存在しない
ことを特徴とする請求項９に記載の発光モジュール。
【請求項１２】
前記第１波長変換部材は、第１透光性基材と、前記第１透光性基材中に分散され、前記発光素子から出射される光の一部を前記第１可視波長帯域の光に変換する第１蛍光体とを含み、
前記第２波長変換部材は、第２透光性基材と、前記第２透光性基材中に分散され、前記発光素子から出射される光の一部を前記第２可視波長帯域の光に変換する第２蛍光体とを含む
ことを特徴とする請求項９記載の発光モジュール。
【請求項１３】
前記光吸収物質は、前記第１透光性基材中に混在されている
ことを特徴とする請求項１２記載の発光モジュール。
【請求項１４】
前記光吸収物質は、ネオジム化合物である
ことを特徴とする請求項９乃至１３のいずれか１項に記載の発光モジュール。
【請求項１５】
前記発光素子が出射する光の波長帯域は、４１０ｎｍ乃至５００ｎｍであり、
前記第１可視波長帯域は、４８０ｎｍ乃至６３０ｎｍであり、
前記第２可視波長帯域は、５４０ｎｍ乃至７８０ｎｍである
ことを特徴とする請求項９至１４のいずれか１項に記載の発光モジュール。
【請求項１６】
前記発光素子が出射する光の波長帯域は、４１０ｎｍ乃至５００ｎｍであり、
前記第１可視波長帯域は、５４０ｎｍ乃至７８０ｎｍであり
前記第２可視波長帯域は、４８０ｎｍ乃至６３０ｎｍである
ことを特徴とする請求項９乃至１４のいずれか１項に記載の発光モジュール。
【請求項１７】
請求項１乃至１６のいずれか１項に記載の発光モジュールを備える
ことを特徴とする照明用光源。
【発明の詳細な説明】
【技術分野】
【０００１】
本発明は、発光モジュールおよびこれを用いた照明用光源に関し、特に、店舗等における照明技術に関する。
【背景技術】
【０００２】
従来から、店舗等において白色光を出射する照明用光源が用いられてきている。例えば、食料品等を扱う店舗では、食料品の色を鮮やかに見せるために、いわゆる彩度の高い白色光を出射する照明用光源を用いて店舗照明を行う場合がある。
この種の照明用光源として、例えば、透光性基材に酸化ネオジムを分散してなるフィルタを備えた照明用光源が提案されている（特許文献１参照）。
【０００３】
特許文献１は、発光部と発光部を覆うフィルタとを備えた照明用光源を開示している。フィルタは、発光部から出射された白色光のうち特定の波長帯域（５７０ｎｍ乃至５９０ｎｍ）の光を吸収する。これにより、照明用光源は、彩度の高い白色光を発生することができる。なお、この彩度を表す指標として、例えば、目立ち指数ＦＣＩが用いられる（例えば、特許文献２参照）。白色光の目立ち指数ＦＣＩは、特定の波長帯域（５７０ｎｍ乃至５９０ｎｍの波長帯域）の分光放射強度が低いほど向上する。
【先行技術文献】
【特許文献】
【０００４】
【特許文献１】ＷＯ２０１１／１０８２０３
【特許文献２】特開平１１−７３９２３号公報
【発明の概要】
【発明が解決しようとする課題】
【０００５】
しかしながら、特許文献１に記載された照明用光源では、白色光の一部がフィルタにより吸収されるので、その分、発光部から出射される光の取り出し効率が低下してしまう。
一方、光の取り出し効率を優先してフィルタの無い構成とすると、上記特定の波長帯域（５７０ｎｍ乃至５９０ｎｍの波長帯域）の分光放射強度が高くなり、その分、白色光の彩度が低下してしまう。
【０００６】
本発明は、上記事由に鑑みてなされたものであり、白色光の彩度の低下を抑制しながら、光の取出し効率向上を図ることができる発光モジュールを提供することを目的とする。
【課題を解決するための手段】
【０００７】
本発明の一態様に係る発光モジュールは、発光素子と、第１波長変換部材と、第２波長変換部材とを備える。発光素子は、光を出射する。第１波長変換部材は、発光素子から出射される光が通過する光路上に配置され、発光素子から出射される光の一部を第１可視波長帯域の光に変換する。第２波長変換部材は、光路上における第１波長変換部材を挟んで発光素子の反対側に配置され、発光素子から出射される光のうちの第１波長変換部材により変換されていない未変換の光の少なくとも一部を、第１可視波長帯域とは異なる第２可視波長帯域の光に変換する。光路上における発光素子と第２波長変換部材との間には、少なくとも５７０ｎｍ乃至５９０ｎｍの波長帯域の光を吸収する光吸収物質が存在し、第２波長変換部材内には、光吸収物質が存在しない。
【発明の効果】
【０００８】
本構成によれば、発光素子と第２波長変換部材との間には、少なくとも５７０ｎｍ乃至５９０ｎｍの波長帯域の光を吸収する光吸収物質が存在し、第２波長変換部材内には、光吸収物質が存在しない。これにより、発光素子から出射される光のうち、第２波長変換部材で変換されてなる光は、上記光吸収物質により吸収されることなく発光モジュールの外部に取り出される。一方、発光素子から出射される光のうち、第１波長変換部材において変換されてなる光は、少なくとも５７０ｎｍ乃至５９０ｎｍの波長帯域の光が光吸収物質により吸収され、残りの波長帯域の光が発光モジュールの外部に取り出される。このように、第２波長変換部材で変換されてなる光がそのまま発光モジュールの外部に取り出される分だけ、光の取り出し効率を増加させることができる。また、第１波長変換部材で変換されてなる光について、少なくとも５７０ｎｍ乃至５９０ｎｍの波長帯域の分光放射強度が、光吸収物質の作用により低下することにより、その分、発光モジュールの外部に取り出される白色光の彩度の低下を抑制することができる。
【図面の簡単な説明】
【０００９】
【図１】実施の形態１に係る発光モジュールの分解斜視図
【図２】実施の形態１に係る発光モジュールを示し、図１におけるＡ−Ａ断面の一部の矢視図
【図３】比較例に係る発光モジュールの分解斜視図
【図４】（ａ）は、短波長側蛍光体を含有し酸化ネオジムを含有しない波長変換部材を使用した場合の分光分布と、短波長側蛍光体と酸化ネオジムの両方を含有した波長変換部材を使用した場合の分光分布とを示す図であり、（ｂ）は、（ａ）の両分光分布の差分を示す図
【図５】（ａ）は、長波長側蛍光体を含有し酸化ネオジムを含有しない波長変換部材を使用した場合の分光分布と、長波長側蛍光体と酸化ネオジムの両方を含有した波長変換部材を使用した場合の分光分布とを示す図であり、（ｂ）は、（ａ）の両分光分布の差分を示す図
【図６】（ａ）は、実施の形態１の第１実施例に係る発光モジュールの光の変換の様子を示す図であり、（ｂ）は、実施の形態１の第２実施例に係る発光モジュールの光の変換の様子を示す図であり、（ｃ）は、比較例に係る発光モジュールの光の変換の様子を示す図
【図７】（ａ）は、実施の形態１の第１実施例に係る発光モジュールの分光分布を示す図であり、（ｂ）は、実施の形態１の第２実施例に係る発光モジュールの分光分布を示す図であり、（ｃ）は、比較例に係る発光モジュールの分光分布を示す図
【図８】目立ち指数の高い理想的な光の分光分布を示す図
【図９】実施の形態１の第１実施例に係る発光モジュールから出射される白色光の分光分布を示す概略図
【図１０】実施の形態１の第２実施例に係る発光モジュールから出射される白色光の分光分布を示す概略図
【図１１】（ａ）は、実施の形態２の第１実施例に係るランプユニットの斜視図であり、（ｂ）は、（ａ）のランプユニットに含まれる発光ユニットの平面図
【図１２】実施の形態２の第２実施例に係るランプユニットの分解斜視図
【図１３】（ａ）は、変形例に係る発光モジュールの断面図であり、（ｂ）は、変形例に係る発光モジュールの断面図
【図１４】変形例に係る発光モジュールの断面図
【図１５】（ａ）は、変形例に係る発光モジュールの斜視図であり、（ｂ）は、（ａ）の発光モジュールにおけるＢ１−Ｂ１断面の一部の矢視図
【図１６】変形例に係る発光モジュールの斜視図
【図１７】（ａ）は、変形例に係る発光モジュールの斜視図であり、（ｂ）は、（ａ）の発光モジュールにおけるＢ２−Ｂ２断面の一部の矢視図
【図１８】（ａ）は、変形例に係る発光モジュールの斜視図であり、（ｂ）は、（ａ）の発光モジュールにおけるＢ３−Ｂ３断面の一部の矢視図
【発明を実施するための形態】
【００１０】
＜実施の形態１＞
本実施の形態に係る発光モジュール１の分解斜視図を図１に示し、図１におけるＡ−Ａ断面の一部の矢視図を図２に示す。
発光モジュール１は、基板１１と、ＬＥＤ１３と、封止部材１５と、電極パッド１７と、枠体１９と、波長変換部材２５，３５とを備える。
【００１１】
基板１１は、矩形板状に形成されている。基板１１は、例えばアルミニウム等の金属から形成された板材と、ポリカーボネート等の絶縁性材料から形成され当該板材におけるＬＥＤ１３が配設される面全体を覆う絶縁膜とからなる２層構造を有している。なお、基板１１は、樹脂やセラミックス等の絶縁性材料単体からなるものであってもよい。
ＬＥＤ１３は、ＧａＮ系材料から形成されたＬＥＤであり、可視波長帯域（４００ｎｍ乃至７８０ｎｍの波長帯域）の一部である青色の波長帯域（４１０ｎｍ乃至５００ｎｍの波長帯域、より限定的には４４０ｎｍ乃至４６０ｎｍの波長帯域）の青色光を出射する。複数のＬＥＤ１３が基板１１上に実装されている。
【００１２】
封止部材１５は、可視光波長帯域（４００ｎｍ乃至７８０ｎｍの波長帯域）に亘って透明な樹脂材料で形成されている。この樹脂材料としては、例えば、シリコーン樹脂、フッソ樹脂、シリコーン・エポキシのハイブリッド樹脂、ユリア樹脂などを用いることができる。封止部材１５は、複数のＬＥＤ１３を覆うように配置されている。このような透明な封止部材１５でＬＥＤ１３を封止することにより、ＬＥＤ１３から放射された青色光が封止部材１５全体に導光されるので、輝度斑が低減される。
【００１３】
電極パッド１７は、基板１１上における枠体１９の外側に形成されている。電極パッド１７は、複数のＬＥＤ１３に電力を供給するために設けられている。
枠体１９は、平面視円環状に形成され、封止部材１５の周囲を囲むように配置されている。枠体１９は、例えば白色ポリカーボネート等の可視光に対する反射率が高い色の絶縁性材料から形成されている。
【００１４】
波長変換部材２５，３５は、いずれも略円板状に形成されており、平面視円環状の枠体１９の内側に嵌合されている。そして、波長変換部材２５は、複数のＬＥＤ１３および封止部材１５を覆うように配置されており、波長変換部材３５は、波長変換部材２５を覆うように配置されている。言い換えると、波長変換部材２５は、ＬＥＤ１３の出射光が通過する光路上に配置され、波長変換部材３５は、光路における波長変換部材２５を挟んでＬＥＤ１３とは反対側に配置されている。
【００１５】
波長変換部材２５は、ＬＥＤ１３から出射される青色光の一部を第１可視波長帯域の光に変換する。第１可視波長帯域としては、例えば、４８０ｎｍ乃至６３０ｎｍの範囲の波長帯域（以下、「短波長帯域」という）や、５４０ｎｍ乃至７８０ｎｍの範囲の波長帯域（以下、長波長帯域）という）が挙げられる。ＬＥＤ１３から出射される青色光の一部は、波長変換部材２５で第１可視波長帯域の光に変換される。ＬＥＤ１３から出射される青色光の残部は、波長変換部材２５で変換されずにそのまま通過する。波長変換部材３５は、ＬＥＤ１３から出射される青色光のうち波長変換部材２５で変換されない未変換の光を、第２可視波長帯域の光に変換する。第２可視波長帯域としては、例えば、短波長帯域や長波長帯域が挙げられる。なお、第２可視波長帯域は、第１可視波長帯域と異なる。例えば、第１可視波長帯域が長波長帯域の場合は、第２可視波長帯域が短波長帯域となる。また、第１可視波長帯域が短波長帯域の場合は、第２可視波長帯域が長波長帯域となる。そして、発光モジュール１からは、青色光と第１可視波長帯域の光と第２可視波長帯域の光とを混合してなる白色光が出射される。
【００１６】
ここで、波長変換部材２５，３５は、何れも、透光性基材と、透光性基材中に分散された蛍光体とを含む。蛍光体としては、青色光を短波長帯域の光に変換する蛍光体（以下、「短波長側蛍光体」という）や、青色光を長波長帯域の光に変換する蛍光体（以下、「長波長側蛍光体」という）が挙げられる。透光性基材は、例えば、透光性を有するガラスやセラミックス、或いは、透光性を有する樹脂材料から形成されている。また、樹脂材料としては、例えば、シリコーン樹脂、フッソ樹脂、シリコーン・エポキシのハイブリッド樹脂、ユリア樹脂などを用いることができる。各波長変換部材２５，３５が含有する蛍光体の種類は、各波長変換部材２５，３５で変換すべき光の波長帯域に応じて選択される。
【００１７】
また、波長変換部材２５は、更に、少なくとも５７０ｎｍ乃至５９０ｎｍの波長帯域の光を吸収する光吸収物質（以下、上記の吸収特性を有する「光吸収物質」を単に「光吸収物質」という）を含有している。光吸収物質は、波長変換部材２５の一部を構成する透光性基材中に分散されている。一方、波長変換部材３５は、光吸収物質を含有していない。このように、波長変換部材２５が光吸収物質を含有し、波長変換部材３５が光吸収物質を含有しないことにより、ＬＥＤ１３の出射光が通過する光路におけるＬＥＤ１３と波長変換部材３５との間には、光吸収物質が存在し、波長変換部材３５内には、光吸収物質が存在しないこととなる。また、光吸収物質に求められる吸収波長帯域は、発光モジュール１から出射される白色光の目標の彩度に基づいて設定されており、当該白色光の彩度を向上させるには、少なくとも５７０ｎｍ乃至５９０ｎｍの範囲の波長帯域の分光放射強度を低減する必要がある。そこで、本実施の形態では、光吸収物質として、５１５ｎｍ乃至５３５ｎｍの範囲の波長帯域と５７０ｎｍ乃至５９０ｎｍの範囲の波長帯域の光を吸収するネオジム化合物である酸化ネオジムを採用している。また、波長変換部材２５の酸化ネオジムの含有量は、発光モジュール１から出射される白色光の目標の彩度に基づいて設定されている。例えば、５７０ｎｍ乃至５９０ｎｍの分光放射強度をより低減させたい場合、その分、酸化ネオジムの含有量を増加させることになる。
【００１８】
また、波長変換部材２５に含有される蛍光体の濃度および波長変換部材２５の厚みＴ１と、波長変換部材３５に含有される蛍光体の濃度および波長変換部材３５の厚みＴ２とを変更することにより、発光モジュール１から出射される白色光の分光分布を調節することができる。
次に、本実施の形態に係る発光モジュール１の２つの実施例（第１、第２実施例）について比較例に係る発光モジュールと対比しながら説明する。なお、以下の説明では、第１実施例に係る発光モジュール１および波長変換部材２５，３５を、発光モジュール１Ａおよび波長変換部材２５Ａ，３５Ａとし、第２実施例に係る発光モジュール１および波長変換部材２５，３５を、発光モジュール１Ｂおよび波長変換部材２５Ｂ，３５Ｂとして説明する。
【００１９】
図３は、比較例に係る発光モジュール１０１の分解斜視図である。なお、本実施の形態と同様の構成については同一の符号を付して適宜説明を省略する。比較例に係る発光モジュール１０１は、波長変換部材１２５を１つだけ備える点が本実施の形態とは相違する。
波長変換部材１２５は、複数のＬＥＤ１３および封止部材１５を覆うように配置されている。そして、波長変換部材１２５は、透光性基材と、透光性基材中に分散された蛍光体および酸化ネオジムとを含む。なお、透光性基材の材料等は、本実施の形態と同様である。
【００２０】
［第１実施例］
（構造）
第１実施例に係る発光モジュール１Ａでは、波長変換部材２５Ａが、長波長側蛍光体と酸化ネオジムとを含む。また、波長変換部材３５Ａは、短波長側蛍光体を含む。波長変換部材２５Ａ，３５Ａの厚みＴ１，Ｔ２は、略同じに設定されている。そして、波長変換部材２５Ａに含有される長波長側蛍光体の濃度は、５乃至６ｗｔ％に設定され、波長変換部材２５Ｂに含有される短波長側蛍光体の濃度は、１５乃至２０ｗｔ％に設定されている。なお、この長波長側蛍光体および短波長側蛍光体それぞれの濃度は、発光モジュール１Ａから放射される白色光の色温度を３０００Ｋ程度に設定する場合の濃度である。発光モジュール１Ａから放射される白色光の色温度を６５００Ｋや５０００Ｋに設定する場合には上記各濃度を変更すればよい。
【００２１】
ここで、長波長側蛍光体としては、硫化物蛍光体、例えば、（Ｓｒ，Ｃａ）Ｓ：Ｅｕ2+、Ｌａ2Ｏ2Ｓ：（Ｅｕ3+，Ｓｍ3+）、珪酸塩（シリケート）蛍光体、例えば、Ｂａ3ＭｇＳｉ2Ｏ8：Ｅｕ2+（Ｍｎ2+）、窒化物（酸窒化物）蛍光体、例えば、（Ｃａ、Ｓｒ）ＳｉＮ2：Ｅｕ2+、（Ｃａ、Ｓｒ）ＡｌＳｉＮ3：Ｅｕ2+、Ｓｒ2Ｓｉ5-xＡｌxＯxＮ8-x：Ｅｕ2+（０≦ｘ≦１）を用いてもよい。
【００２２】
短波長側蛍光体としては、アルミン酸塩蛍光体、例えば、ＢａＭｇＡｌ10Ｏ17：（Ｅｕ2+，Ｍｎ2+）、（Ｂａ，Ｓｒ，Ｃａ）Ａｌ2Ｏ4：Ｅｕ2+、珪酸塩（シリケート）蛍光体、例えば、（Ｂａ，Ｓｒ）2ＳｉＯ4：Ｅｕ2+、α-サイアロン蛍光体、例えば、Ｓｒ1.5Ａl3Ｓｉ9Ｎ16：Ｅｕ2+、Ｃａ-α-ＳｉＡｌＯＮ：Ｙｂ2+、β-サイアロン蛍光体、例えば、β−Ｓｉ3Ｎ4：Ｅｕ2+、酸窒化物蛍光体、例えば、（Ｂａ，Ｓｒ，Ｃａ）Ｓｉ2Ｏ2Ｎ2：Ｅｕ2+、（Ｂａ，Ｓｒ，Ｃａ）2Ｓｉ4ＡｌＯＮ7：Ｃｅ3+、（Ｂａ，Ｓｒ，Ｃａ）Ａｌ2-xＳｉxＯ4-xＮx：Ｅｕ2+（0＜ｘ＜２）、窒化物蛍光体、例えば、（Ｂａ，Ｓｒ，Ｃａ）2Ｓｉ5Ｎ8：Ｃｅ3+、硫化物蛍光体、例えば、ＳｒＧａ2Ｓ4：Ｅｕ2+、ガーネット蛍光体、例えば、Ｃａ3Ｓｃ2Ｓｉ3Ｏ12：Ｃｅ3+、ＢａＹ2ＳｉＡｌ4Ｏ12：Ｃｅ3+、Ｙ3（Ａｌ，Ｇａ）5Ｏ12：Ｃｅ3+、Ｌｕ3（Ａｌ，Ｇａ）5Ｏ12：Ｃｅ3+、Ｔｂ3（Ａｌ，Ｇａ）5Ｏ12：Ｃｅ3+、酸化物蛍光体、例えば、ＣａＳｃ2Ｏ4：Ｃｅ3+を用いてもよい。
【００２３】
一方、比較例では、波長変換部材１２５が、長波長側蛍光体、短波長側蛍光体および酸化ネオジムを含む。長波長側蛍光体、短波長側蛍光体および酸化ネオジムは、透光性基材中に分散されている。
（実施例１に係る発光モジュールの光の取り出し効率の検討）
図４（ａ）に、短波長側蛍光体を含有し酸化ネオジムを含有しない波長変換部材を使用した場合の分光分布と、短波長側蛍光体と酸化ネオジムの両方を含有した波長変換部材を使用した場合の分光分布とを示す。図４（ｂ）に、図４（ａ）の両分光分布の差分を示す。なお、図４（ａ）、図４（ｂ）において、縦軸は分光放射強度を示し、横軸は、光の波長を示す。図４（ａ）中、「ｋ−１」（ｋ＝１，２，３，４）は、それぞれ異なる短波長側蛍光体を含有した波長変換部材から放射される光の分光分布を示している。「ｋ−２」（ｋ＝１，２，３，４）は、「ｋ−１」（ｋ＝１，２，３，４）に対してさらに酸化ネオジムを添加した波長変換部材から放射される光の分光分布を示している。また、図４（ｂ）中、「ｋ−３」（ｋ＝１，２，３，４）は、上記「ｋ−１」の分光分布と上記「ｋ−２」の分光分布（ｋ＝１，２，３，４）の差分を示している。
【００２４】
図４（ａ）および図４（ｂ）に示すように、短波長側蛍光体および酸化ネオジムを含有した波長変換部材から放射される光の分光分布は、短波長側蛍光体を含有し酸化ネオジムを含有しない波長変換部材から放射される光の分光分布に比べて、５１５ｎｍ乃至５３５ｎｍの範囲の波長帯域と５７０ｎｍ乃至５９０ｎｍの範囲の波長帯域の分光放射強度が低減されているのが特徴である。
【００２５】
また、長波長側蛍光体のみを含有した波長変換部材から放射される光の分光分布と長波長側蛍光体および酸化ネオジムを含有した波長変換部材から放射される光の分光分布とを図５（ａ）に示し、図５（ａ）における２つの分光分布の差分を図５（ｂ）に示す。なお、図５（ａ）、図５（ｂ）において、縦軸は分光放射強度を示し、横軸は、光の波長を示す。図５（ａ）中、「ｋ−１」（ｋ＝５，６，７，８）は、それぞれ異なる長波長側蛍光体を含有した波長変換部材から放射される光の分光分布を示している。「ｋ−２」（ｋ＝５，６，７，８）は、「ｋ−１」に対して酸化ネオジムを添加した波長変換部材から放射される光の分光分布を示している。また、図５（ｂ）中、「ｋ−３」（ｋ＝５，６，７，８）は、上記「ｋ−１」の分光分布と上記「ｋ−２」の分光分布（ｋ＝５，６，７，８）の差分を示している。
【００２６】
図５（ａ）および図５（ｂ）に示すように、長波長側蛍光体および酸化ネオジムを含有した波長変換部材から放射される光の分光分布は、長波長側蛍光体のみを含有した波長変換部材から放射される光の分光分布に比べて、５７０ｎｍ乃至５９０ｎｍの範囲の波長帯域の分光放射強度が低減されているのが特徴である。また、長波長側蛍光体のみを含有した波長変換部材から放射される光の分光分布は、５１５ｎｍ乃至５３５ｎｍの範囲の波長帯域の分光放射強度がピーク波長の半値（５０％）よりも小さく、ほとんどゼロに近くなっている。従って、長波長側蛍光体のみを含有した波長変換部材について、更に酸化ネオジムを含有させたとしても、そもそも５１５ｎｍ乃至５３５ｎｍの範囲の波長帯域の分光放射強度はゼロに近いので、当該波長帯域における分光放射強度は、酸化ネオジム光の吸収により影響を受けにくい。
【００２７】
図６（ａ）、図６（ｂ）、図６（ｃ）に、各発光モジュールの光の変換の様子を示す。図６（ａ）は第１実施例を示し、図６（ｂ）は第２実施例を示し、図６（ｃ）は変形例を示す。また、図７（ａ）、図７（ｂ）、図７（ｃ）に、各発光モジュールの分光分布を示す。図７（ａ）は第１実施例を示し、図７（ｂ）は第２実施例を示し、図７（ｃ）は変形例を示す。なお、図７（ａ）、図７（ｂ）、図７（ｃ）において、縦軸は分光放射強度を示し、横軸は、光の波長を示している。図６（ａ）に示すように、第１実施例に係る発光モジュール１Ａでは、ＬＥＤ１３から出射された青色光の一部は、そのまま発光モジュール１Ａの外部に出射される。また、ＬＥＤ１３から出射され波長変換部材２５Ａで吸収された青色光は、波長変換部材２５Ａで５４０ｎｍ乃至７８０ｎｍの範囲の波長帯域の長波長帯域の光（図６（ａ）のクロスハッチ矢印）に変換されて発光モジュール１Ａの外部に出射される。更に、ＬＥＤ１３から出射され波長変換部材３５Ａで吸収された青色光は、波長変換部材３５Ａで４８０ｎｍ乃至６３０ｎｍの範囲の波長帯域の短波長帯域光（図６（ａ）の点模様矢印）に変換されて発光モジュール１Ａの外部に出射される。このうち、長波長帯域光（図６（ａ）のクロスハッチ矢印）は、５７０ｎｍ乃至５９０ｎｍの範囲の波長帯域の光が酸化ネオジムにより吸収された状態で発光モジュール１Ａの外部に取り出される。そして、第１実施例に係る発光モジュール１Ａの外部に取り出される白色光は、上記青色光、上記短波長帯域光、上記長波長帯域光を混合されてなる。
【００２８】
図７（ａ）の左側の分光分布は、図４（ａ）のｋ−１（ｋ＝１，２，３，４）の分光分布を模式的に表したものである。即ち、短波長側蛍光体を含有し酸化ネオジムを含有しない波長変換部材３５Ａを使用した場合の分光分布を表したものである。また、図７（ａ）の中央の分光分布は、図５（ａ）のｋ−２（ｋ＝５，６，７，８）の分光分布を模式的に表したものである。即ち、長波長側蛍光体および酸化ネオジムを含有する波長変換部材２５Ａを使用した場合の分光分布を表したものである。そして、図７（ａ）の右側の分光分布は、発光モジュール１Ａから取り出される白色光の分光分布を模式的に表したものである。
【００２９】
図７（ａ）に示すように、発光モジュール１Ａから取り出される白色光の分光分布は、長波長側蛍光体および酸化ネオジムを含有する波長変換部材を使用した場合の分光分布と、短波長側蛍光体を含有し酸化ネオジムを含有しない波長変換部材を使用した場合の分光分布とを足し合わせた形状になる。
一方、図６（ｃ）に示すように、比較例に係る発光モジュール１０１では、ＬＥＤ１３から出射された青色光の一部は、そのまま発光モジュール１０１の外部に出射される。また、ＬＥＤ１３から出射され波長変換部材１２５で吸収された青色光は、波長変換部材１２５で５４０ｎｍ乃至７８０ｎｍの範囲の波長帯域の長波長帯域の光および４８０ｎｍ乃至６３０ｎｍの範囲の波長帯域の短波長帯域の光を混合してなる光（図６（ａ）の格子模様矢印）に変換されて発光モジュール１０１の外部に出射される。ここで、長波長帯域の光は、５７０ｎｍ乃至５９０ｎｍの範囲の波長帯域の光が酸化ネオジムに吸収された状態で発光モジュール１０１の外部に出射される。また、短波長帯域の光は、５１５ｎｍ乃至５３５ｎｍの範囲の波長帯域の光と５７０ｎｍ乃至５９０ｎｍの範囲の波長帯域の光の両方が酸化ネオジムにより吸収された状態で発光モジュール１０１の外部に出射される。そして、本比較例に係る発光モジュール１０１から取り出される白色光は、上記青色光、長波長帯域光、短波長帯域光を混合されてなる。
【００３０】
図７（ｃ）の左側の分光分布は、図４（ａ）のｋ−２（ｋ＝１，２，３，４）の分光分布を模式的に表したものであり、図７（ｃ）の中央の分光分布は、図５（ａ）のｋ−２（ｋ＝５，６，７，８）の分光分布を模式的に表したものである。そして、図７（ａ）の右側の分光分布は、発光モジュール１０１から取り出される白色光の分光分布を模式的に表したものである。
【００３１】
図７（ｃ）に示すように、発光モジュール１０１から出射される光の分光分布は、短波長側蛍光体および酸化ネオジムを含有する波長変換部材を使用したときの分光分布と長波長側蛍光体および酸化ネオジムを含有する波長変換部材を使用したときの分光分布とを足し合わせた形状となる。
図７（ａ）および図７（ｃ）から判るように、第１実施例に係る発光モジュール１Ａでは、５１５ｎｍ乃至５３５ｎｍの範囲の波長帯域で分光放射強度の低下が生じておらず、５７０ｎｍ乃至５９０ｎｍ付近の波長帯域の分光放射強度の低下も比較例に係る発光モジュール１０１に比べて抑制されている。これは、波長変換部材３５Ａから放射される短波長帯域の光が酸化ネオジムによる光吸収の影響を受けないからである。そして、第１実施例に係る発光モジュール１Ａは、比較例に係る発光モジュール１０１に比べて、分光放射強度の波長積分値が増大している。言い換えると、発光モジュール１Ａは、発光モジュール１０１に比べて、光の取り出し効率が向上している。
【００３２】
（第１実施例に係る発光モジュールから放射される白色光の彩度の検討）
次に、第１実施例に係る発光モジュール１Ａから出射される白色光の彩度について説明する。
彩度が高い理想的な白色光の分光分布を図８に示す。
この白色光は、色温度が２９８９［Ｋ］であり、目立ち指数が１７１である。ここで、「目立ち指数」とは、照明対象物の目立ち度合い（彩度）を表す指標である。この目立ち指数は、非線形色知覚モデルに基づく表色系で表された４色試験色の色面積の大きさに基づいて算出される（例えば、特開平１１−７３９２３号公報参照）。具体的には、赤色試験色を基準として、赤色、青色、緑色試験色で囲まれた面積と赤色、黄色、緑色試験色で囲まれた面積の総和を４色試験色（赤、黄、緑、青）の色域面積として定義した。そして、この４色試験色の色域面積をもとに目立ち指数ＦＣＩは、式（１）の関係式から導出される。
【００３３】
【数１】
2014140015.tif 000003
ここで、Ｇ（Ｓ，１０００（ｌｘ））は、目立ち指数の評価対象となる光源Ｓから照度１０００（ｌｘ）で照射される白色光の４色試験色の色域面積を示し、Ｇ（Ｄ６５，１０００（ｌｘ））は、基準光源Ｄ６５から照度１０００（ｌｘ）で照射される白色光の４色試験色の色域面積を示す。式（１）から判るように、光源Ｓに対応する４色試験色の色域面積が、基準光源Ｄ６５に対応する当該色域面積と同等であるとき、即ち、光源Ｓと基準光源Ｄ６５とで同等の目立ち感が得られるとき、光源Ｓから出射される白色光の目立ち指数ＦＣＩは１００となる。この目立ち指数ＦＣＩが高くなるほど、生花や木の葉の緑等の光源の照明対称物の目立ち度合い（彩度）が高くなる。
【００３４】
つまり、発光モジュールから出射される白色光の分光分布が図８に示した理想的な白色光の分光分布に近いほど目立ち指数ＦＣＩが向上することになる。この理想的な白色光の分光分布は、５７０ｎｍ乃至５９０ｎｍの範囲の波長帯域の分光放射強度が大きく低下しているのが特徴である。
第１実施例に係る発光モジュール１Ａから出射される白色光の分光分布を図９に示す。図９中の実線は、発光モジュール１Ａから出射される白色光の分光分布である。図９中の破線は、図８に示した理想的な白色光の分光分布である。図９によると、発光モジュール１Ａから出射される白色光の分光分布は、５７０ｎｍ乃至５９０ｎｍの範囲の波長帯域の分光放射強度が低下している点で理想的な白色光の分光分布と似ている。
【００３５】
ところで、波長変換部材２５Ａにも波長変換部材３５Ａにも酸化ネオジムが含有されない場合、発光モジュールから出射される白色光の目立ち指数ＦＣＩの値が１４１になることがシミュレーションの結果から判っている。従って、波長変換部材２５Ａに酸化ネオジムが含有されている第１実施例の構成であれば、出射される白色光の目立ち指数ＦＣＩの値を１４１よりも大きくすることができる。なお、この目立ち指数ＦＣＩの値は、基準光源Ｄ６５の目立ち指数ＦＣＩの値（１００）よりも大きい値である。
【００３６】
［第２実施例］
（構造）
第２実施例に係る発光モジュール１Ｂでは、波長変換部材２５Ｂが、短波長側蛍光体と酸化ネオジムとを含む。また、波長変換部材３５Ｂは、長波長側蛍光体を含む。波長変換部材２５Ｂ，３５Ｂの厚みＴ１，Ｔ２は、略同じに設定されている。そして、波長変換部材２５Ｂに含有される短波長側蛍光体の濃度は、２０乃至３０ｗｔ％に設定されており、波長変換部材３５Ｂに含有される長波長側蛍光体の濃度は、１乃至２ｗｔ％に設定されている。なお、この長波長側蛍光体および短波長側蛍光体それぞれの濃度は、発光モジュール１Ｂから放射される白色光の色温度を３０００Ｋ程度に設定する場合の濃度である。発光モジュール１Ｂから放射される白色光の色温度を６５００Ｋや５０００Ｋに設定する場合には上記各濃度を変更すればよい。また、長波長側蛍光体および短波長側蛍光体の種類は、第１実施例と同様なのでここでは詳細な説明は省略する。
【００３７】
（第２実施例に係る発光モジュールの光の取り出し効率の検討）
図６（ｂ）に示すように、第２実施例に係る発光モジュール１Ｂでは、ＬＥＤ１３から出射された青色光の一部は、そのまま発光モジュール１Ｂの外部に出射される。また、ＬＥＤ１３から出射され波長変換部材２５Ｂで吸収された青色光は、波長変換部材２５Ｂで４８０ｎｍ乃至６３０ｎｍの範囲の波長帯域の短波長帯域の光（図６（ｂ）の点模様矢印）に変換されて発光モジュール１Ｂの外部に出射される。更に、ＬＥＤ１３から出射され波長変換部材３５Ｂで吸収された青色光は、波長変換部材３５Ｂで５４０ｎｍ乃至７８０ｎｍの範囲の波長帯域の長波長帯域光（図６（ｂ）のクロスハッチ矢印）に変換されて発光モジュール１Ｂの外部に出射される。このうち、短波長帯域の光（図６（ｂ）の点模様矢印）は、５１５ｎｍ乃至５３５ｎｍの範囲の波長帯域の光と５７０ｎｍ乃至５９０ｎｍの範囲の波長帯域の光とが酸化ネオジムにより吸収された状態で発光モジュール１Ｂの外部に取り出される。そして、第２実施例に係る発光モジュール１Ｂから取り出される白色光は、上記青色光、長波長帯域の光、短波長帯域の光を混合してなる。
【００３８】
図７（ｂ）の左側の分光分布は、図４（ａ）のｋ−２（ｋ＝１，２，３，４）の分光分布を模式的に表したものである。即ち、短波長側蛍光体および酸化ネオジムを含有する波長変換部材２５Ｂを使用した場合の分光分布を表したものである。図７（ｂ）の中央の分光分布は、図５（ａ）のｋ−１（ｋ＝５，６，７，８）の分光分布を模式的に表したものである。即ち、長波長側蛍光体を含有し酸化ネオジムを含有しない波長変換部材３５Ｂを使用した場合の分光分布を表したものである。そして、図７（ｂ）の右側の分光分布は、発光モジュール１Ｂから取り出される白色光の分光分布を模式的に表したものである。
【００３９】
図７（ｂ）に示すように、第２実施例に係る発光モジュール１Ｂから取り出される白色光の分光分布は、長波長側蛍光体を含有し酸化ネオジムを含有しない波長変換部材を使用したときの分光分布と短波長側蛍光体および酸化ネオジムを含有する波長変換部材を使用したときの分光分布とを足し合わせた形状となる。実際には、短波長側蛍光体から放射された短波長帯域光の一部が、長波長側蛍光体の励起光として利用されるため、上記足し合わせた形状よりも長波長帯域光の強度が若干大きくなった形状となる。
【００４０】
図７（ｂ）および図７（ｃ）から判るように、第２実施例に係る発光モジュール１Ｂでは、５７０ｎｍ乃至５９０ｎｍの波長帯域での分光放射強度の低下が比較例に係る発光モジュール１０１に比べて抑制されている。これは、波長変換部材３５Ｂから放射される長波長帯域の光が酸化ネオジムによる光吸収の影響を受けないからである。そして、第２実施例に係る発光モジュール１Ｂは、比較例に係る発光モジュール１０１に比べて、分光放射強度の波長積分値が増大している。言い換えると、発光モジュール１Ｂは、比較例に係る発光モジュール１０１に比べて、光の取り出し効率が向上している。
【００４１】
（第２実施例に係る発光モジュールから放射される白色光の彩度の検討）
次に、第２実施例に係る発光モジュール１Ｂから出射される白色光の彩度について説明する。
第２実施例に係る発光モジュール１Ｂから出射される白色光の分光分布を図１０に示す。図１０中の実線は、発光モジュール１Ｂから出射される白色光の分光分布である。図１０中の破線は、図８に示した理想的な白色光の分光分布である。図１０によると、発光モジュール１Ｂから出射される白色光の分光分布は、５７０ｎｍ乃至５９０ｎｍの範囲の波長帯域の分光放射強度が低下している点で理想的な白色光の分光分布と似ている。
【００４２】
ところで、波長変換部材２５Ｂにも波長変換部材３５Ｂにも酸化ネオジムが含有されない場合、発光モジュールから出射される白色光の目立ち指数ＦＣＩの値が１３１になることがシミュレーションの結果から判っている。従って、波長変換部材２５Ｂに酸化ネオジムが含有されている第２実施例の構成であれば、出射される白色光の目立ち指数ＦＣＩの値を１３１よりも大きくすることができる。なお、この目立ち指数ＦＣＩの値は、基準光源Ｄ６５の目立ち指数ＦＣＩの値（１００）よりも大きい値である。
【００４３】
（まとめ）
結局、本実施の形態に係る発光モジュール１は、ＬＥＤ１３と波長変換部材３５との間には、少なくとも５７０ｎｍ乃至５９０ｎｍの波長帯域の光を吸収する酸化ネオジムが存在し、波長変換部材３５内には、酸化ネオジムが存在しない。これにより、ＬＥＤ１３から出射される光のうち、波長変換部材３５で変換されてなる光は、酸化ネオジムにより吸収されることなく発光モジュール１の外部に取り出される。一方、ＬＥＤ１３から出射される光のうち、波長変換部材２５において変換されてなる光は、少なくとも５７０ｎｍ乃至５９０ｎｍの波長帯域の光が酸化ネオジムにより吸収され、残りの波長帯域の光が発光モジュール１の外部に取り出される。このように、波長変換部材３５で変換されてなる光が酸化ネオジムに吸収されずにそのまま発光モジュール１の外部に取り出される分だけ、光の取り出し効率を増加させることができる。また、波長変換部材２５で変換されてなる光のうち、少なくとも５７０ｎｍ乃至５９０ｎｍの波長帯域が、酸化ネオジムにより吸収されることにより、その分、発光モジュール１の外部に取り出される白色光の彩度の低下を抑制することができる。
【００４４】
また、第１実施例と第２実施例とでは、酸化ネオジムを含有する波長変換部材２５から出射される光の波長帯域が異なる。第１実施例では、波長変換部材２５Ａが、長波長帯域（５４０ｎｍ乃至７８０ｎｍの範囲の波長帯域）の光を放射するのに対して、第２実施例では、波長変換部材２５Ｂが、短波長帯域（４８０ｎｍ乃至６３０ｎｍの範囲の波長帯域）の光を放射する。一方、酸化ネオジムは、５１５ｎｍ乃至５３５ｎｍの範囲の波長帯域と５７０ｎｍ乃至５９０ｎｍの範囲の波長帯域の２帯域の光を吸収する特性を有する。
【００４５】
そして、第１実施例に係る発光モジュール１Ａでは、酸化ネオジムが、長波長帯域の光を放射する波長変換部材２５Ａに含有されており、波長変換部材３５Ａには含有されていない。即ち、酸化ネオジムが、ＬＥＤ１３と、短波長帯域の光を放射する波長変換部材３５Ａとの間に介在することとなる。従って、波長変換部材２５Ａから放射される長波長帯域の光は、酸化ネオジムによる光吸収の影響を受けるが、波長変換部材３５Ａから放射される短波長帯域の光は、酸化ネオジムによる光吸収の影響を受けない。これにより、図９の実線で示すように、第１実施例に係る発光モジュール１Ａから出射される白色光の分光分布は、酸化ネオジムにより長波長帯域の光の波長帯域に含まれる５７０ｎｍ乃至５９０ｎｍの範囲の波長帯域の分光放射強度のみが低減された形状となっている。
【００４６】
一方、第２実施例に係る発光モジュール１Ｂでは、酸化ネオジムが、短波長帯域の光を放射する波長変換部材２５Ｂに含有されており、波長変換部材３５Ｂには含有されていない。即ち、酸化ネオジムが、ＬＥＤ１３と、長波長帯域の光を放射する波長変換部材３５Ｂとの間に介在することとなる。従って、波長変換部材２５Ｂから放射される短波長帯域の光は、酸化ネオジムによる光吸収の影響を受けるが、波長変換部材３５Ｂから放射される長波長帯域の光は、酸化ネオジムによる光吸収の影響を受けない。これにより、図１０の実線で示すように、第２実施例に係る発光モジュール１Ｂから出射される白色光の分光分布は、酸化ネオジムにより短波長帯域の光の波長帯域に含まれる５１５ｎｍ乃至５３５ｎｍの範囲の波長帯域と５７０ｎｍ乃至５９０ｎｍの範囲の波長帯域との両方の分光放射強度が低減された形状となっている。
【００４７】
つまり、第１実施例に係る発光モジュール１Ａから出射される白色光では、酸化ネオジムによる光吸収の影響により１つの波長帯域のみで分光放射強度が低減される。これに対して、第２実施例に係る発光モジュール１Ｂから出射される白色光では、酸化ネオジムによる光吸収の影響により２つの波長帯域の両方で分光放射強度が低減される。従って、第１実施例は、第２実施例に比べて、酸化ネオジムによる光吸収の影響により分光放射強度が低減される波長帯域の数が少ない分、光取り出し効率をより向上させることができる。
【００４８】
また、第２実施例に係る発光モジュール１Ｂでは、波長変換部材２５Ｂから放射される短波長帯域の光の一部が波長変換部材３５Ｂで吸収されることに伴い、短波長帯域の光の光損失が発生する。これに対して、第１実施例に係る発光モジュール１Ａでは、波長変換部材２５Ｂから放射される長波長帯域の光が波長変換部材３５Ａで吸収されることなく取り出される。この点でも、第１実施例に係る発光モジュール１Ａは、第２実施例に係る発光モジュール１Ｂに比べて、光取出し効率向上を図ることができる。
【００４９】
ところで、前述のように、第１実施例で波長変換部材２５Ａに酸化ネオジムが含有されていない構成では、出射される白色光の目立ち指数ＦＣＩの値が１４１になる。一方、第２実施例で波長変換部材２５Ｂに酸化ネオジムが含有されていない構成では、出射される白色光の目立ち指数ＦＣＩの値が１３１になる。つまり、第１実施例の構成は、第２実施例の構成に比べて、酸化ネオジムの有無に関わらず、出射される白色光の目立ち指数ＦＣＩの値が大きくなる。ここで、第１および第２実施例について、波長変換部材２５Ａ，２５Ｂに酸化ネオジムを添加して出射される白色光の目立ち指数ＦＣＩを同じ値にまで引き上げることを考慮すると、第１実施例のほうが、第２実施例に比べて、酸化ネオジムの添加量が少なくて済む。即ち、目立ち指数ＦＣＩ（彩度）の高い白色光を得ようとする場合、発光モジュール１Ａは、発光モジュール１Ｂに比べて、酸化ネオジムの量を少なくできるので、部材コストの低減を図ることができる。
【００５０】
ところで、本実施の形態に係る発光モジュール１から出射される白色光は、ＬＥＤ１３から放射された光と、波長変換部材２５，３５それぞれから放射された光との足し合わせとなる。また、波長変換部材２５から放射された光は、酸化ネオジムの光吸収の影響を受けるが、波長変換部材３５から放射される光は、酸化ネオジムの光吸収の影響を受けない。そして、波長変換部材３５から放射される光の５７０ｎｍ乃至５９０ｎｍの波長帯域の分光放射強度が大きいと、その分、発光モジュール１から出射される白色光の５７０ｎｍ乃至５９０ｎｍの波長帯域の分光放射強度も大きくなる。すると、当該白色光の目立ち指数ＦＣＩ（彩度）の低下してしまう。
【００５１】
従って、波長変換部材３５に含有される蛍光体としては、５７０ｎｍ乃至５９０ｎｍの波長帯域の分光放射強度が小さい蛍光体を用いたほうが、目立ち指数ＦＣＩ（彩度）の低下を抑制する観点から有利である。また、これらの波長帯域の分光放射強度が小さい分、他の波長帯域の分光放射強度の大きい蛍光体を用いれば、目立ち指数ＦＣＩの低下を抑制しつつ光取出し効率の向上を図ることができる。
【００５２】
＜実施の形態２＞
図１１（ａ）は、実施の形態２の第１実施例に係る照明用光源の一例であるランプユニットの斜視図である。図１１（ｂ）は、図１１（ａ）のランプユニットに含まれる発光ユニットの平面図である。
ランプユニット３０１は、発光ユニット２０１と、ベース３２０、カバー３５０、カバー押え部材３６０および配線部材３７０等を備える。
【００５３】
発光ユニット２０１は、ベース３２０に取り付けられている。発光ユニット２０１は、配線２１５がパターニングされた配線基板２１１上に実施の形態１で説明した発光モジュール１が複数個実装されている。ここで、各発光モジュール１の電極パッド１７と配線２１５とは、ワイヤ２１７を介して電気的に接続されている。また、発光ユニット２０１は、配線基板２１１における、複数の発光モジュール１が配設される面側がカバー３５０で覆われている。このカバー３５０は、その周縁部がカバー押え部材３６０によりベース３２０に固定されている。カバー３５０は、例えば、シリコーン樹脂、アクリル樹脂、ガラス等の透光性材料から形成されており、複数の発光モジュール１それぞれから出射された光はカバー３５０を透過してランプユニット３０１の外部へ取り出される。また、ベース３２０からは、複数の発光モジュール１に電力を供給するための配線部材３７０が導出している。
【００５４】
図１２は、実施の形態２の第２実施例に係るランプユニットの分解斜視図である。
ランプユニット４０１は、発光モジュール１と、配線基板４１１と、伝熱板４２０と、カバー４５０と、口金４７０とを備える。複数の発光モジュール１が長尺状の配線基板４１１に列状に取着されている。配線基板４１１は、長尺状の伝熱板４２０に取着されている。伝熱板４２０は、矩形板状の金属板（例えば、アルミニウム板やクロムフリーの亜鉛鋼板等）の短手方向の両側を折曲することにより形成されている。カバー４５０は、透光性材料（例えば、アクリル樹脂等）により形成されている。また、カバー４５０は、カバー４５０の長手方向に沿って形成された２対のリブ４５０ａを有している。そして、伝熱板４２０は、その短手方向における両端縁がこの２対のリブ４５０ａで挟持された状態で、カバー４５０に固定される。一対の口金４７０は、伝熱板４２０およびカバー４５０の長手方向における両端側に取着されている。これにより、発光モジュール１は、伝熱板４２０、カバー４５０、一対の口金４７０で囲まれる空間に収容される。
【００５５】
＜変形例＞
（１）実施の形態１では、光吸収物質が波長変換部材２５内に位置する構成を説明したが、光吸収物質の位置はこれに限定されるものではない。光吸収物質が、ＬＥＤ１３の出射光が通過する光路におけるＬＥＤ１３と波長変換部材３５との間に位置すればよい。
本変形例に係る発光モジュール５０１，６０１の断面図をそれぞれ図１３（ａ）、図１３（ｂ）に示す。なお、実施の形態１と同様の構成については同一の符号を付して適宜説明を省略する。
【００５６】
図１３（ａ）に示すように、発光モジュール５０１では、波長変換部材５２５ａ，３５の間に、光吸収部材５２５ｂが介在している。
波長変換部材５２５ａは、透光性基材と、透光性基材中に分散された蛍光体とを含む。しかし、波長変換部材５２５ａは、光吸収物質を含有しない。光吸収部材５２５ｂは、透光性基材と、透光性基材中に分散された光吸収物質とを含む。
【００５７】
ここで、波長変換部材５２５ａに含有される蛍光体の濃度および波長変換部材５２５ａの厚みＴ５１と、光吸収部材５２５ｂに含有される酸化ネオジムの濃度および光吸収部材５２５ｂの厚みＴ５２とを変更することにより、発光モジュール５０１から出射される白色光の分光分布を調節することができる。
本構成によれば、例えば、波長変換部材５２５ａと光吸収部材５２５ｂとを別部材とすることができ、発光モジュール５０１の製造方法の多様化を図ることができる。
【００５８】
図１３（ｂ）に示すように、発光モジュール６０１では、２つの波長変換部材６２５ａ，６２５ｃの間に、酸化ネオジムを含有する光吸収部材６２５ｂが介在している。波長変換部材６２５ａ，６２５ｃは、透光性基材と、透光性基材中に分散された蛍光体とを含む。しかし、波長変換部材６２５ａ，６２５ｃは、光吸収物質を含有しない。光吸収部材６２５ｂは、透光性基材と、透光性基材中に分散された光吸収物質とを含む。そして、波長変換部材６２５ｃにおける光吸収部材６２５ｂ側とは反対側には、波長変換部材３５が配置されている。波長変換部材６２５ｃから出射される光は、酸化ネオジムにより吸収されることなくそのまま発光モジュール６０１の外部に出射される。
【００５９】
ここで、波長変換部材６２５ａ，６２５ｃに含有される蛍光体の濃度および波長変換部材６２５ａ，６２５ｃの厚みＴ６１，Ｔ６３と、光吸収部材６２５ｂに含有される酸化ネオジムの濃度および光吸収部材６２５ｂの厚みＴ６２を変更することにより、発光モジュール６０１から出射される白色光の分光分布を調節することができる。
図１３（ｂ）に示す構成の発光モジュール６０１は、図１３（ａ）に示す構成の発光モジュール５０１に比べて、白色光の分光分布を調節するためのパラメータが多い分だけ、所望の分光分布を有する白色光を得易いという利点がある。
【００６０】
なお、図１３（ａ）および図１３（ｂ）に示す構成では、光吸収部材５２５ｂ，６２５ｂが蛍光体を含有してもよい。また、図１３（ａ）および図１３（ｂ）に示す構成では、波長変換部材５２５ａ，６２５ａ，６２５ｃと光吸収部材５２５ｂ，６２５ｂとが互いに接触した状態で配置されているが、必ずしも接触した状態で配置されている必要はなく、波長変換部材５２５ａ，６２５ａ，６２５ｃと光吸収部材５２５ｂ，６２５ｂとが互いに離間した状態で配置されたものでもよい。
【００６１】
（２）実施の形態１では、波長変換部材２５，３５が、長波長側蛍光体および短波長側蛍光体のいずれか一方を含有する例について説明したが、含有する蛍光体の種類はこれに限定されるものではなく、例えば、橙色蛍光体を含有するものであってもよい。
橙色蛍光体としては、例えば、珪酸塩（シリケート）蛍光体（（Ｓｒ，Ｃａ）2ＳｉＯ4：Ｅｕ2+）、ガーネット蛍光体（Ｇｄ3Ａｌ5Ｏ12：Ｃｅ3+）、α-サイアロン蛍光体（Ｃａ−α−ＳｉＡｌＯＮ：Ｅｕ２＋）を用いることができる。
【００６２】
本構成によれば、発光モジュールから出射される白色光の色温度のバリエーションを増やすことが可能となる。
（３）実施の形態１では、波長変換部材２５，３５の厚みＴ１，Ｔ２を略同じに設定し、各波長変換部材２５，３５に含有される蛍光体の濃度を異ならせることにより、各波長変換部材２５，３５から出射される光の強度比が調節されている例について説明した。しかし、各波長変換部材２５，３５から出射される光の強度比を調節する方法は、これに限定されるものではなく、例えば、波長変換部材２５，３５に含有される蛍光体の濃度を略同じに設定し、各波長変換部材２５，３５の厚みＴ１，Ｔ２を異ならせることにより、各波長変換部材２５，３５から出射される光の強度比が調節されている構成であってもよい。
【００６３】
本構成によれば、波長変換部材２５，３５の製造工程において、当該波長変換部材２５，３５の基となる基部材から板状に切り出す際の厚みを適宜設定するだけで所望の強度比に調節することができるので、基部材の共通化を図ることができる。
（４）実施の形態１では、２種類の波長変換部材２５，３５が一つの発光モジュール１内において重なった状態で配置される例について説明したが、各波長変換部材の配置はこれに限定されるものではない。
【００６４】
本変形例に係る発光モジュール７０１の断面図を図１４に示す。
発光モジュール７０１では、２種類の波長変換部材７２５，７３５が互いに隣接した状態で配置されている。即ち、波長変換部材７２５は、ＬＥＤ１３を囲む領域の一部を覆うように配置されている。そして、波長変換部材７３５は、ＬＥＤ１３を囲む領域のうち波長変換部材７２５で覆われない領域を覆うように配置されている。これにより、ＬＥＤ１３から出射される光の一部が、波長変換部材７２５に入射し、ＬＥＤ１３から出射される光のうち波長変換部材７２５に入射しない光が、波長変換部材７３５に入射する。即ち、波長変換部材７２５は、ＬＥＤ１３から出射される光の一部が通過する第１光路上に配置され、波長変換部材７３５は、ＬＥＤ１３から出射される光の残りの一部が通過する第２光路上に配置されていると言える。
【００６５】
ＬＥＤ１３は、実施の形態１と同様に、４４０ｎｍ乃至４６０ｎｍの範囲の波長帯域の青色光を出射する。波長変換部材７２５は、ＬＥＤ１３から出射される青色光の一部の少なくとも一部を第１可視波長帯域の光に変換する。具体的には、波長変換部材７２５は、透光性基材と、透光性基材に分散された蛍光体（例えば、長波長側蛍光体）とを含む。波長変換部材７２５は、さらに、光吸収物質の一例である酸化ネオジムを含む。一方、波長変換部材７３５は、ＬＥＤ１３から出射される青色光の残りの一部の少なくとも一部を第２可視波長帯域の光に変換する。具体的には、波長変換部材７３５は、透光性基材と、透光性基材に分散された蛍光体（例えば、短波長側蛍光体）とを含む。本構成においても、青色光と、波長変換部材７２５で変換されてなる光と波長変換部材７３５で変換されてなる光とが発光モジュール７０１の前方で混合され、その結果、白色光が得られる。即ち、第１光路と第２光路とが、第１光路上における波長変換部材７２５を挟んでＬＥＤ１３の反対側で且つ第２光路上における波長変換部材７３５を挟んでＬＥＤ１３の反対側の結合位置で結合されていると言える。なお、発光モジュール７０１の前方に光散乱部材等を配置することにより、光の混合を促進してもよい。
【００６６】
また、波長変換部材７２５に含有される蛍光体および酸化ネオジムの濃度および波長変換部材７２５の面積Ｓ１と、波長変換部材７３５に含有される蛍光体の濃度および波長変換部材７３５の面積Ｓ２とを変更することにより、発光モジュール７０１から出射される白色光の分光分布を調節することができる。ここで、波長変換部材７２５，７３５の面積とは、波長変換部材７２５，７３５を基板１１の厚み方向から見たときの平面視形状の面積に相当する。
【００６７】
（５）実施の形態１では、２種類の波長変換部材２５，３５が封止部材１５上に配置された発光モジュール１の例について説明したが、封止部材１５を備える構成に限定されるものではなく、２種類の波長変換部材の少なくとも一方がＬＥＤ１３を封止する構成であってもよい。
図１５（ａ）は、変形例に係る発光モジュール８０１の斜視図である。図１５（ｂ）は、図１５（ａ）の発光モジュールにおけるＢ１−Ｂ１断面の一部の矢視図である。なお、実施の形態１と同様の構成については同一の符号を付して適宜説明を省略する。
【００６８】
発光モジュール８０１では、波長変換部材８２５がＬＥＤ１３を封止した状態で配置されている。この波長変換部材８２５は、透光性基材に蛍光体および酸化ネオジムが分散されたものである。そして、波長変換部材８３５が、波長変換部材８２５の外表面における、基板１１に接触する領域以外の他の領域全体を覆うように配置されている。この波長変換部材８３５は、透光性基材に蛍光体のみを分散させたものである。
【００６９】
本構成によれば、透明な封止部材を省略しているので、その分、発光モジュール８０１の小型化や部品点数の削減による製造容易化等を図ることができる。
（６）実施の形態１では、２種類の波長変換部材２５，３５がそれぞれ複数のＬＥＤ１３の全てを覆うように配置された発光モジュール１の例について説明したが、これに限定されるものではなく、例えば、２種類の波長変換部材それぞれが、各別に複数のＬＥＤ１３を覆う構成であってもよい。
【００７０】
本変形例に係る発光モジュール９０１の斜視図を図１６に示す。なお、実施の形態１と同様の構成については同一の符号を付して適宜説明を省略する。
発光モジュール９０１では、波長変換部材９２５，９３５それぞれが、各別の複数のＬＥＤ１３を封止した状態で配置されている。ここで、波長変換部材９２５は、ＬＥＤ１３から出射される青色光の一部を第１可視波長帯域の光に変換する。具体的には、波長変換部材９２５は、透光性基材と、透光性基材に分散された蛍光体（例えば、長波長側蛍光体）とを含む。波長変換部材９２５は、さらに、光吸収物質の一例である酸化ネオジムを含む。波長変換部材９３５は、ＬＥＤ１３から出射される青色光の一部を第２可視波長帯域の光に変換する。具体的には、波長変換部材９３５は、透光性基材と、透光性基材に分散された蛍光体（例えば、短波長側蛍光体）とを含む。
【００７１】
本構成によれば、発光モジュール９０１を光出射方向側から見たときに、波長変換部材９２５に覆われたＬＥＤ１３の個数と、波長変換部材９３５に覆われたＬＥＤ１３の個数とを容易に把握することができる。従って、発光モジュール９０１の製造時において、各波長変換部材９２５，９３５で覆われるＬＥＤ１３の個数を設定しやすくなるので、その分、短波長帯域の光と長波長帯域の光との比率調節の容易化を図ることができる。
【００７２】
（７）実施の形態１では、矩形基板を有するいわゆる小型の発光モジュール１の例について説明したが、発光モジュールの構造は、この小型のものに限定されるものではない。
図１７（ａ）は、変形例に係る発光モジュール１００１の斜視図である。図１７（ｂ）は、図１７（ａ）の発光モジュールにおけるＢ２−Ｂ２断面の一部の矢視図である。なお、実施の形態１と同様の構成については同一の符号を付して適宜説明を省略する。
【００７３】
発光モジュール１００１は、光反射性基板１０１１と、波長変換部材１０２５と、ＬＥＤ１３と、波長変換部材１０３５とを備える。基板１０１１は長尺状である。波長変換部材１０２５は、基板１０１１上に配置され、長尺の薄膜状に形成されている。波長変換部材１０２５は、ＬＥＤ１３が基板１０１１上に配置される前段階で、基板１０１１上に印刷技術を利用して設けられたものである。複数のＬＥＤ１３が波長変換部材１０２５上に一列に配置されている。また、配線１０１７が、基板１０１１上に、波長変換部材１０２５の一部に重なった状態で平面視略櫛状に形成されている。ソケット１０２１が、基板１０１１上に設けられている。ソケット１０２１は、外部電源に接続されたコネクタが接続可能である。配線１０１７の櫛歯部分の先端部は、金属ワイヤ１０１９を介してＬＥＤ１３の電極（図示せず）に電気的に接続されている。波長変換部材１０３５は、複数のＬＥＤ１３、配線１０１７の櫛歯部分の先端部および金属ワイヤ１０１９を一括して封止する形で波長変換部材１０２５上に設けられている。
【００７４】
波長変換部材１０２５は、ＬＥＤ１３から出射される青色光の一部を第１可視波長帯域の光に変換する。具体的には、波長変換部材１０２５は、透光性基材と、透光性基材に分散された蛍光体（例えば、長波長側蛍光体）とを含む。波長変換部材１０２５は、さらに、光吸収物質の一例である酸化ネオジムを含む。波長変換部材１０３５は、ＬＥＤ１３から出射される青色光の一部を第２可視波長帯域の光に変換する。具体的には、波長変換部材１０３５は、透光性基材と、透光性基材に分散された蛍光体（例えば、短波長側蛍光体）を含む。透光性基材の材料としては、例えば、シリコーン樹脂、フッソ樹脂、シリコーン・エポキシのハイブリッド樹脂、ユリア樹脂などを用いることができる。
【００７５】
ＬＥＤ１３から出射された青色光の一部は、基板１０１１側に向かい、基板１０１１で反射して外部に取り出される反射光となる。また、ＬＥＤ１３から出射された青色光の残部は、基板１０１１側に向かわずに外部に取り出される直接光となる。反射光の一部は波長変換部材１０２５で第１可視波長帯域の光に変換される。また、直接光の一部は波長変換部材１０３５で第２可視波長帯域の光に変換される。そして、発光モジュール１００１からは、青色光と第１可視波長帯域の光と第２可視波長帯域の光の混合光である白色光が出射される。即ち、波長変換部材１０２５は、ＬＥＤ１３から出射される光の一部が通過する第１光路上に配置され、波長変換部材１０３５は、ＬＥＤ１３から出射される光の残りの一部が通過する第２光路上に配置されていると言える。
【００７６】
本構成においても、青色光と、波長変換部材１０２５で変換されてなる光と波長変換部材１０３５で変換されてなる光とが波長変換部材１０３５内で混合され、その結果、白色光が得られる。即ち、第１光路と第２光路とが、第１光路上における波長変換部材１０２５を挟んでＬＥＤ１３の反対側で且つ第２光路上における波長変換部材１０３５を挟んでＬＥＤ１３の反対側の結合位置（ここでは波長変換部材１０３５内）で結合されていると言える。
【００７７】
本構成によれば、例えば、直管型ランプ等に適用される線状光源であって、高彩度の白色光を放射する線状光源を実現することができる。
また、本構成は、発光モジュール１００１の製造時において、ＬＥＤ１３を基板１０１１上に配置する前段階で基板１０１１上に波長変換部材１０２５を、印刷技術を利用して設けるだけで実現できるので、高彩度の白色光を放射する光源を簡単に実現することができる。
【００７８】
図１７（ａ）、図１７（ｂ）に示す構成では、波長変換部材１０３５がＬＥＤ１３を封止している発光モジュール１００１の例について説明したが、波長変換部材１０３５がＬＥＤ１３を封止している構成に限定されるものではない。
図１８（ａ）は、変形例に係る発光モジュール１１０１の斜視図である。図１８（ｂ）は、図１８（ａ）の発光モジュールにおけるＢ３−Ｂ３断面の一部の矢視図である。なお、図１７（ａ）、図１７（ｂ）に示す構成と同様の構成については同一の符号を付して適宜説明を省略する。
【００７９】
発光モジュール１１０１は、複数のＬＥＤ１３を一括して封止する細長であり且つ透明な封止部材１１１５を備えている。そして、透光性基材に蛍光体のみを分散させた波長変換部材１１３５が、封止部材１１１５の外面を覆うように配置されている。封止部材１１１５の材料としては、例えば、シリコーン樹脂、フッソ樹脂、シリコーン・エポキシのハイブリッド樹脂、ユリア樹脂などを用いることができる。
【００８０】
本構成によれば、ＬＥＤ１３から放射される青色光の一部が、封止部材１１１５の長手方向に導光されてから波長変換部材１０２５，１１３５に入射する。従って、発光モジュール１１０１から放射される白色光について波長変換部材１０２５，１１３５の長手方向に沿って生じる輝度斑を抑制することができる。
（８）実施の形態１では、発光素子としてＬＥＤを用いる例について説明したが、これに限定されるものではなく、他の青色光を出射するＥＬ素子を用いてもよい。
【００８１】
（９）上記実施の形態１、２、および変形例は、矛盾が生じない限り、適宜組み合わせてもよい。
【図１】
2014140015.tif 000004
【図２】
2014140015.tif 000005
【図３】
2014140015.tif 000006
【図４】
2014140015.tif 000007
【図５】
2014140015.tif 000008
【図６】
2014140015.tif 000009
【図７】
2014140015.tif 000010
【図８】
2014140015.tif 000011
【図９】
2014140015.tif 000012
【図１０】
2014140015.tif 000013
【図１１】
2014140015.tif 000014
【図１２】
2014140015.tif 000015
【図１３】
2014140015.tif 000016
【図１４】
2014140015.tif 000017
【図１５】
2014140015.tif 000018
【図１６】
2014140015.tif 000019
【図１７】
2014140015.tif 000020
【図１８】
2014140015.tif 000021